(57)【特許請求の範囲】
【請求項１】
箱状のケース本体１の内部に、テープ３を巻装した一個のリール２が配置され、テープ３の繰り出し端にリーダーブロック４が連結してある磁気テープカートリッジであって、
リーダーブロック４は、テープ端に連結される基部２５と、テーブドライブのローディング機構で捕捉される掛止部２６とを一体にプラスチック成形してなり、
ケース本体１の前隅において、ケース底壁２０とケース前壁２１とケース側壁２２とを切り欠いて、ローディング機構の進入を許すローディング開口５が内凹み状に設けられており、
ケース底壁２０の切欠縁に、前記基部２５を挟み保持して、リーダーブロック４を掛止部２６がローディング開口５に突出する片持ち状の待機姿勢に固定支持する一対の突片６が突設されており、
リーダーブロック４よりケース外面側においてローディング開口５を閉止する蓋７を有し、
蓋７は、ケース側壁２２およびケース前壁２１に連続してローディング開口５を覆う、蓋側壁７ａと蓋前壁７ｂとで断面Ｌ字状に形成されており、
蓋側壁７ａの後端をピン３２で軸支することにより、蓋７がケース本体１に揺動開閉可能に支持されており、
蓋７とケース本体１との間に、蓋７を閉じ位置に保持する蓋ロック３３が設けられている単リール型の磁気テープカートリッジ。  
【発明の詳細な説明】
【０００１】
【発明の属する技術分野】
本発明は、テープを巻き取るリールがケース本体の内部に一個だけ収容してある単リール型の磁気テープカートリッジに関する。
【０００２】
【従来の技術】
この種のテープカートリッジにおいて、テープの繰り出し端に、プラスチック成形品からなるリーダーブロックを連結したものがある（特開昭６２−６６４８６号公報）。不使用時のリーダーブロックは、ローディング開口に臨む浅いポケットに圧嵌装填されて待機保持されている。こうしたテープカートリッジでは、リーダーブロックの大半がローディング用のポケットに突出しているので、その待機姿勢に多少のばらつきがあっても、リーダーブロックを確実に捕捉してケース外へ引き出し操作できる。その反面、ローディング開口が常に開放しているので、ローディング開口を介して塵埃等がケース内へ侵入しやすい。
【０００３】
そこで、図６に示すようにローディング開口４０を狭め、その開口縁にリーダーブロック４１を圧嵌装着して、ローディング開口４０をリーダーブロック４１で閉止できるようした磁気テープカートリッジがある（文献不詳）。図中符号４２はリール、４３はテープ、４４はテープ４３をリーダーブロック４１に連結するクランプピンである。
【０００４】
【発明が解決しようとする課題】
このようにリーダーブロック４１でローディング開口４０を塞ぐと、ローディング開口４０からの塵埃の侵入は防止できるが、リーダーブロック４１自体がケース外面に露出するので、この露出面に塵埃が付着しやすい。リーダーブロック４１に付着した塵埃は、テープローディング時にテープドライブの内部へ引き込まれて磁気ヘッドに付着し、エラーを増加するおそれがある。また、リーダーブロック４１は、ケース本体４５の弾性を利用して比較的弱い力で係合保持してあるに過ぎず、そのため、テープカートリッジの取り扱い時等に、誤ってリーダーブロック４１をケース内方へ押し込み操作することがある。このように位置ずれした状態のリーダーブロック４１では、ローディング機構による捕捉を適正に行えないことがある。
【０００５】
テープ端にリーダーブロックを備えた従来のテープカートリッジにおいては、リーダーブロックのローディング操作のしやすさと、防塵性とを同時に満足できない点に改良の余地があった。そこで、本発明の目的は、リーダーブロックのローディング操作のしやすさを維持しながら、同時にリーダーブロックへの塵埃付着を極力避けられる、単リール型の磁気テープカートリッジを提供することにある。
【０００６】
【課題を解決するための手段】
本発明の磁気テープカートリッジは、箱状のケース本体１の内部に、テープ３を巻装した一個のリール２が配置され、テープ３の繰り出し端にリーダーブロック４が連結してある。リーダーブロック４は、テープ端に連結される基部２５と、テーブドライブのローディング機構で捕捉される掛止部２６とを一体にプラスチック成形してなる。ケース本体１の周側面に面して、ローディング機構の進入を許すローディング開口５が内凹み状に設けられている。ローディング開口５の内部開口縁には、前記基部２５を挟み保持して、リーダーブロック４を片持ち状の待機姿勢に固定支持する突片６を設ける。リーダーブロック４よりケース外面側においてローディング開口５を閉止する蓋７を設け、この蓋７をケース本体１に開閉可能に支持してある。
【０００７】
具体的には、ケース本体１の前隅において、ケース底壁２０とケース前壁２１とケース側壁２２とを切り欠いてローディング開口５を形成する。ケース底壁２０の切欠縁にリーダーブロック４を挟み保持する一対の突片６を突設する。蓋７は、ケース側壁２２およびケース前壁２１に連続してローディング開口５を覆う、蓋側壁７ａと蓋前壁７ｂとで断面Ｌ字状に形成する。蓋側壁７ａの後端をピン３２で軸支することにより、蓋７をケース本体１に揺動開閉可能に支持する。そして、蓋７とケース本体１との間に、蓋７を閉じ位置に保持する蓋ロック３３を設ける。
【０００８】
【作用】
ローディング開口５の内部開口縁に設けた突片６でリーダーブロック４を固定支持したうえで、その外面側においてローディング開口５を蓋７で覆うので、不使用時にリーダーブロック４がケース外面に露出するのを防止し、リーダーブロック４に塵埃等が付着するのを阻止できる。誤ってリーダーブロック４に触れることもない。突片６で待機姿勢に固定保持したリーダーブロック４は、片持ち状に支持されていて、その掛止部２６がローディング開口５内に突き出ているので、蓋７を開き操作してローディング開口５を開放すると、ローディング機構で掛止部２６を確実かつ容易に捕捉できる。
【０００９】
【実施例】
図１ないし図５は本発明に係る単リール型の磁気テープカートリッジの実施例を示す。図２において磁気テープカートリッジは、上下ケース１ａ・１ｂを接合してなる角箱状のケース本体１を有し、ケース本体１の内部に一個のリール２を収容してあり、このリール２にテープ３が巻装されている。テープ３の繰り出し端には、テープ３を引き出し操作するリーダーブロック４が固定してある。リーダーブロック４はケース本体１の前部左隅に開口したローディング開口５に臨むよう配置されており、ローディング開口５は揺動自在な蓋７で開閉できる。
【００１０】
図３に示すように、リール２のボス９は上向きに開口しており、その内部にテープドライブの駆動体の回転力をリール２に伝える駆動リング１０と、リール押え１１と、リール押え１１を押し下げ付勢するばね１２とが収容してある。駆動リング１０はボス９の内底に設けた座部１３で受け止められていて、座部１３に対して上下スライドは可能であるが、相対回転は不能に支持されている。座部１３の下面には、前記駆動体で磁気吸着される、鉄板製の吸着板１４が固定してある。先の駆動体は駆動リング１０の底端の接合面に面接合状に圧接されて、駆動リング１０を回転駆動する。
【００１１】
不使用時のテープ弛みを防ぐために、図２に示すようにケース本体１の前部右隅のスペースを利用してリールロック機構が配置されている。このリールロック機構は、ピン１５を中心にして揺動するロック爪１６と、ロック爪１６をリール２側へ向かって揺動付勢する捻じりコイル形のばね１７と、リール２の下フランジの周縁に設けたギヤ歯状のロック歯１８とからなる。ロック爪１６の中途部下面には解除片１９が突設してある。図４に示すように解除片１９に設けた溝１９ａを下ケース１ｂの下面側から差し込まれる解除ピンＰで操作することにより、ロック爪１６の全体をばね１７の付勢力に抗して反時計回転方向に揺動してロック状態を解除できる。
【００１２】
図１においてローディング開口５は、ケース本体１のケース底壁２０の前部左隅を斜めに切り欠き、更に切り欠き端間のケース前壁２１とケース側壁２２とを切り欠いて形成してある。ケース上壁２３は切り欠かずに、ローディング開口５の上面側を覆っている。ケース底壁２０の中途部上面に、リーダーブロック４を保持する前後一対の突片６・６を設ける。突片６はその大半がケース底壁２０から突出していて、互いに接近あるいは離れる向きに弾性変形できる。
【００１３】
図５においてリーダーブロック４は、台形状の基部２５と、鈎形フック状の掛止部２６とを一体に形成した、上下面が平坦なプラスチック成形品からなり、基部２５に設けたＣ字状の溝２７にクランプピン２８とテープ３とを圧嵌して、テープ３を連結する。溝２７側の周面には、前方の突片６の先端と係合する凹部２９が設けてある。後方の突片６は基部２５の後面側の平坦面を受け止める。つまり、不使用時のリーダーブロック４は前後一対の突片６・６で挟み保持されて、掛止部２６がローディング開口５のほぼ中央に突出する、片持ち状の待機姿勢に固定支持されている。
【００１４】
ローディング開口５に臨む、リーダーブロック４やテープ３等を保護するために、リーダーブロック４よりケース外面側においてローディング開口５を閉止する蓋７を設ける。図５において、蓋７はＬ字状に折れ曲がる蓋側壁７ａと、蓋前壁７ｂとを有し、蓋側壁７ａの後端に設けた円筒状のボス３１をピン３２で軸支することにより、ケース本体１に対してローディング開口５を閉止する位置（図２の状態）と、この位置から時計回転方向へ揺動してローディング開口５を開放する位置（図１の状態）との間を往復揺動できる。ピン３２は下ケース１ｂから一体に立設してあって前記ボス３１に挿通され、上ケース１ａで受け止められている。
【００１５】
蓋７を閉じ位置においてロック保持するために、蓋７とケース本体１との間に蓋ロック３３を有する。この蓋ロック３３は、蓋前壁７ｂの先端内面の下端寄りに突設してあり、その突端の爪部３４がケース前壁２１の内面に設けた浅い係合凹部３５と係合して、蓋７を閉止保持できる。蓋ロック３３の弾性に抗して蓋７を開き揺動操作すると、爪部３４と係合凹部３５との係合状態を解除できる。必要があれば、係合凹部３５をケース前壁２１を貫通する孔に形成して、ケース外面から係合凹部３５に進入する解除ピンで、爪部３４の係合状態を解除操作することができる。
【００１６】
不使用時の磁気テープカートリッジは、リーダーブロック４が一対の突片６に挟み保持されて、図５に示すように待機姿勢を維持している。さらに、ローディング開口５は蓋７で閉止されて、その下面側のみが開口しているに過ぎない。そのため、テープカートリッジの取り扱い時や収納等に、塵埃がリーダーブロック４に付着するのをよく防止できる。さらに、誤ってリーダーブロック４に触れて、突片６による保持姿勢が変わることもない。テープドライブへの装填動作によって蓋７を開放操作すると、リーダーブロック４の掛止部２６をローディング開口５のほぼ中央に露出させることができるので、ローディング機構による掛止部２６の捕捉を確実にしかも容易に行える。
【００１７】
上記の実施例以外に、ローディング開口５はケース本体１のケース前壁２１やケース側壁２２のいずれかに臨む状態で形成できる。この場合には、蓋７を平板状に形成できる。さらに、平板状に形成した蓋７はケース本体１でスライド開閉自在に支持してもよい。ケース側壁２２やケース前壁２１を位置決め壁に利用して、リーダーブロック４を待機姿勢に挟み保持することができ、この場合には突片６を一個設けるだけでよい。
【００１８】
【発明の効果】
本発明では、ローディング開口５をケース本体１の周側面に面して内凹み状に設け、その内部開口縁に設けた突片６でリーダーブロック４を待機保持した。さらに、リーダーブロック４よりケース外面側に位置する蓋７でローディング開口５を覆って、不使用時にリーダーブロック４がケース表面に露出するのを避けるようにしたので、不使用時のリーダーブロック４に塵埃等が付着するのを解消できる。従って、リーダーブロック４に付着した塵埃が磁気ヘッドに転位することに起因する信号読み書き時のエラー発生度合を低下できる。使用時には、蓋７を開き操作することによりローディング開口５を開放して、リーダーブロック４の掛止部２６をケース外面に臨んで十分に露出できるので、ローディング機構による掛止部２６の捕捉を支障なく行え、全体として防塵性とリーダーブロック４のローディング操作のしやすさとを同時に満足できる。
【図面の簡単な説明】
【図１】ローディング開口の周辺構造を示す斜視図である。
【図２】全体の内部の平面図である。
【図３】図２におけるＡ−Ａ線断面図である。
【図４】図２におけるＢ−Ｂ線断面図である。
【図５】ローディング開口の周辺構造を示す内部平面図である。
【図６】従来のリーダーブロックの待機状態を示す内部平面図である。
【符号の説明】
１  ケース本体
２  リール
３  テープ
４  リーダーブロック
５  ローディング開口
６  突片
７  蓋
２５  基部
２６  掛止部
【図１】
0003630927.tif 000002
【図２】
0003630927.tif 000003
【図３】
0003630927.tif 000004
【図４】
0003630927.tif 000005
【図５】
0003630927.tif 000006
【図６】
0003630927.tif 000007